(57)【要約】【課題】本発明は上記課題に鑑み、リモコン装置が故障した場合であっても、簡素な操作によって応急運転を行い得る給湯システムの提供を目的とする。【解決手段】ボリューム抵抗２４に故障が発生し給湯装置１０が駆動されなくなると、当該給湯装置１０の故障状態を調査しに来たサービスマンは、警報表示部２３ｂの点灯を確認し、給湯システム１の故障原因がボリューム抵抗２４の導通不良であると認知する。そして、サービスマンは、制御回路１３のディップスイッチ１３ｃをＯＦＦ状態からＯＮ状態に切り換える。このとき、制御回路１３に設けられたクロックカウンタではタイムカウントが開始される。そして、副制御回路１３ｂでは、メモリから規定値ＳＧｒを読み出した後、かかる規定値ＳＧｒと検出値ＳＧｔとを減算処理させ、制御回路１３では、かかる処理結果に基づいて燃焼器１２を駆動させる。【選択図】図１
2008138980.tif 000002
【特許請求の範囲】
【請求項１】
制御回路及び検出器を備える給湯装置と調節部を備えるリモコン装置とから構成される給湯システムにおいて、前記制御回路は少なくとも主制御部と副制御部と選択部とを備え前記主制御部または前記副制御部の何れかに基づき前記給湯装置を制御させることを特徴とする給湯システム。
【請求項２】
前記主制御部は前記調節部によって設定された設定値と前記検出器によって検出された検出値とに基づき前記制御回路を作動させ、前記副制御部は前記検出値と予め定められた規定値とに基づき前記制御回路を作動させることを特徴とする請求項１に記載の給湯システム。
【請求項３】
前記選択部は手動操作によって選択状態が変更され前記選択状態に応じて前記主制御部または前記副制御部の何れか一方を有効とさせることを特徴とする請求項１または請求項２に記載の給湯システム。
【請求項４】
前記制御回路は前記副制御部の作動時間を規定すると供に当該作動時間に限定して前記副制御部に基づき作動されることを特徴とする請求項１乃至請求項３に記載の給湯システム。
【請求項５】
前記調節部はボリューム抵抗によって構成されていることを特徴とする請求項１乃至請求項４に記載の給湯システム。
【発明の詳細な説明】
【技術分野】
【０００１】
本発明は、給湯装置とこれを操作するリモコン装置とを備える給湯システムに関し、特に、リモコン装置の故障に対して給湯装置を応急運転させる際に用いて好適なものである。
【背景技術】
【０００２】
従来より、給湯装置の駆動及び設定を遠隔操作によって実行させる給湯システムの技術が広く知られている。かかる給湯システムは、給湯装置とリモコン装置とから構成され、リモコン装置を浴槽または台所等の適宜な場所に設けることにより、給湯装置を操作する際の利便性の向上が図られている。今日に至っては、種々の機能が付加された給湯システムの商品化が進められている。
【０００３】
例えば、特開昭６４−１６５６１号公報（特許文献１）では、給湯器本体（特許請求の範囲における給湯装置）とリモコン装置とを備える給湯システムが紹介されている。かかる給湯システムでは、給湯器本体にメイン制御回路（特許請求の範囲における制御回路及び主制御部）が設けられ、リモコン装置に発光ダイオードとサブ制御回路（実施の形態におけるＩＣチップ）とが設けられている。そして、かかる構成を具備する給湯システムでは、リモコン装置のサブ制御回路が故障すると、サブ制御回路は、発光ダイオードを点灯させ、リモコン装置の表示部を介して、ユーザー又はサービスマンにリモコン装置の故障を知らせている。
【０００４】
また、特開平７−２９４００１号公報（特許文献２）では、応急運転を実現させ得る給湯装置が紹介されている。かかる給湯装置は、加熱器と検出器と操作器と制御器（特許請求の範囲における主制御部）とサブ制御器（特許請求の範囲における副制御部）と選択器とから構成されている。そして、制御器は検出器と操作器とから与えられる情報に基づいて加熱器を駆動させ、サブ制御器は予め規定された所定規則に基づいて加熱器を駆動させる。このとき、選択器によって制御器またはサブ制御器の何れかを選択し、かかる選択状態に応じて、給湯装置は制御器またはサブ制御器の何れかの情報に基づいて駆動制御される。
【０００５】
【特許文献１】特開昭６４−１６５６１号公報
【特許文献２】特開平７−２９４００１号公報
【発明の開示】
【発明が解決しようとする課題】
【０００６】
しかしながら、特許文献１の給湯システムでは、給湯装置本体に当該給湯装置の駆動状態を直接操作する機能が設けられていないので、リモコン装置に不具合が発生すると、かかる給湯装置を操作する手段が閉ざされてしまう。従って、ユーザーは、リモコン装置の修理が完了するまで、給湯装置を使用できなくなるとの問題が発生する。
【０００７】
また、リモコン装置に設けられる設定手段として安価な調節機構を採用させる場合、例えば、ボリューム抵抗等の簡素な調節機構が選択される。かかるボリューム抵抗は、当該ボリューム抵抗の内部に粉塵又は回路基板に塗布されるフラックス等が侵入し易い構造とされているため、ボリューム抵抗内部において導通障害が頻繁に発生すると、リモコン装置では設定値が所望の設定温度に対応した信号に変換されなくなり、設定温度に応答した給湯装置の駆動が得られなくなるとの不具合が発生する。更に、リモコン装置の操作機構を改変し、リモコン装置の表面に設定ボタンと液晶パネルとを配置させ、設定ボタンよって設定された設定温度を液晶パネルに表示させる技術も考えられる。しかし、かかる技術では、リモコン装置内の構成が複雑化され、高コスト化されてしまうとの問題が生じる。
【０００８】
本発明は上記課題に鑑み、リモコン装置が故障した場合であっても、簡素な操作によって応急運転を行い得る給湯システムの提供を目的とする。
【課題を解決するための手段】
【０００９】
上記課題を解決するために、本発明では次のような給湯システムの構成とする。すなわち、制御回路及び検出器を備える給湯装置と調節部を備えるリモコン装置とから構成される給湯システムにおいて、前記制御回路は少なくとも主制御部と副制御部と選択部とを備え前記主制御部または前記副制御部の何れかに基づき前記給湯装置を制御させる。このとき、前記主制御部は前記調節部によって設定された設定値と前記検出器によって検出された検出値とに基づき前記制御回路を作動させ、前記副制御部は予め定められた規定値に基づき前記制御回路を作動させることが好ましい。また、前記選択部は手動操作によって選択状態が変更され前記選択状態に応じて前記主制御部または前記副制御部の何れか一方を有効とさせることが好ましい。更に、前記制御回路は前記副制御部の作動時間を規定し当該作動時間に限定して前記副制御部に基づき作動されることが好ましい。そして、前記調節部がボリューム抵抗である場合に好適である。
【発明の効果】
【００１０】
本発明によれば、操作パネル体に侵入した粉塵等またはプリント基板に塗布されるフラックスが調節部のスライドレール内に偶発的に侵入し、これにより、抵抗板とスライダーの導電板との間の導通不良が発生して、給湯装置に配備される燃焼器が駆動されなくなる事態に陥っても、制御回路は選択部の切替操作により副制御部の指令に応答した燃焼器の制御を実行させるので、調節部の故障状態に関係なく、給湯システムは副制御部で規定される所定条件に基づいた給湯装置の応急運転を実現させることが可能となる。
【００１１】
また、抵抗板とスライダーの導電板との摩擦によって生じた金属粉、又は、スライドレール内に侵入した極性を帯びた粉塵によって、互いの抵抗板が短絡され、給湯装置における燃焼器が駆動されなくなる事態に陥っても、上述同様、サービスマン等が選択部を切替て、制御回路が副制御部に応答した燃焼器の制御を実施することにより、給湯システムは所定条件に基づいた給湯装置の応急運転を実現させることが可能となる。
【００１２】
更に、リモコン装置の基板に実装される他の素子の故障によって、給湯装置における燃焼器が駆動されなくなる事態に陥っても、上述同様、サービスマン等が選択部を切替て、制御回路が副制御部に応答した燃焼器の制御を実施することにより、給湯システムは所定条件に基づいた給湯装置の応急運転を実現させることが可能となる。
【発明を実施するための最良の形態】
【００１３】
以下、本発明に係る実施の形態につき図面を参照して説明する。図１には本実施の形態に係る給湯システムの構成が示されている。かかる給湯システム１は、制御回路１３及び検出器１１ｄを備える給湯装置１０とボリューム抵抗２４を備えるリモコン装置２０とから構成されている。尚、ボリューム抵抗２４は「特許請求の範囲」の調節部に相当する。
【００１４】
給湯装置１０は、筐体１４の内部に貯水槽１１と燃焼器１２と制御回路１３とが格納されている。図示の如く、貯水槽１１は、給水管１１ａが上流側に接合され、配水栓１１ｃを具備する配水管１１ｂが下流側に接合されている。かかる構成により、貯水槽１１は、配水栓１１ｃの開栓状態に応じて、内部に備蓄された湯水を給湯装置１０の外部へ配水させる。また、貯水槽１１には湯水の温度を検出する検出器１１ｄが設けられている。検出器１１ｄは、検出した湯水の温度を電圧値に変換し検出値ＳＧｔとして制御回路１３に出力させる。尚、本実施例では、かかる検出値ＳＧｔは、検出器１１ｄによってアナログ信号を出力させ、制御回路１３によってデジタル信号に変換される。
【００１５】
制御回路１３は、少なくとも主制御部１３ａと副制御部１３ｂとディップスイッチ１３ｃとを備え、主制御部１３ａまたは副制御部１３ｂの何れかに基づき給湯装置１０を制御させる。また、制御回路１３は、給湯装置１０の不具合を知らせるエラー信号ＳＧｅを出力させる。併せて、リモコン装置２０から設定値ＳＧｃを検出し、当該設定値ＳＧｃに異常が有る場合、リモコン装置２０に対して警報信号ＳＧｗを出力させる。尚、ディップスイッチ１３ｃとは「特許請求の範囲」の選択部に相当する。加えて、設定信号ＳＧｃについては追って詳述する。ここで、制御回路１３にはＡ／Ｄ変換回路が更に設けられており、当該Ａ／Ｄ変換回路は、入力された検出値ＳＧｔをデジタル値に変換させる。かかる検出値ＳＧｔは温度に関する情報が８ビットのデジタル値で構成されている。そして、主制御部１３ａは、リモコン装置２０のボリューム抵抗２４によって温度設定された設定値ＳＧｃと給湯装置１０の検出器１１ｄによって検出された検出値ＳＧｔとに基づき制御回路１３を作動させる。具体的に説明すると、主制御部１３ａには図示されない比較器が設けられており、かかる比較器では、入力された検出値ＳＧｔと設定値ＳＧｃとを減算処理させる。また、制御回路１３は、比較器の減算結果に応じて貯水槽１１に供給する熱量を演算し、燃焼器１２の燃焼状態をリアルタイムで制御する。一方、副制御部１３ｂは、検出値ＳＧｔと予め定められた規定値ＳＧｒとに基づき制御回路１３を作動させる。具体的に説明すると、副制御部１３ｂには図示されないメモリと比較器とが設けられており、メモリには８ビットのデジタル情報で構成された摂氏５０℃に相当する規定値ＳＧｒが格納されている。そして、副制御部１３ｂは、比較器に入力された検出値ＳＧｔと規定値ＳＧｒとを減算処理させ、上述同様、制御回路１３によって燃焼器１２の燃焼状態を制御させる。即ち、副制御部１３ｂでは、リモコン装置２０によって設定された設定値ＳＧｃの状態に影響されることなく、メモリに格納された規定値ＳＧｒに基づいて燃焼器１２の燃焼状態が制御される。また、制御回路１３に設けられるディップスイッチ１３ｃは、手動操作によって選択状態が変更され、当該選択状態に応じて主制御部１３ａまたは副制御部１３ｂの何れか一方を有効とさせる。具体的には、制御回路１３はディップスイッチ１３ｃのスイッチング状態を定期的に認識する。そして、制御回路１３は、ディップスイッチ１３ｃがＯＦＦ状態に設定されている場合には、主制御部１３ａが有効とされているとして、主制御部１３ａで処理された減算結果に基づいて燃焼器１２を制御させる。一方、ディップスイッチ１３ｃがＯＮ状態に設定されている場合には、副制御部１３ｂが有効とされているとして、副制御部１３ｂで処理された減算結果に基づいて燃焼器１３を制御させる。尚、「特許請求の範囲」に記される選択部の構成は、上述したディップスイッチ１３ｃに限定されるものでなく、テストモードスイッチ、ジャンパーピン、この他種々の切替機構に係る改変が可能とされる。そして、制御回路１３は、副制御部１３ｂの作動時間を規定し、かかる作動時間に限定して副制御部１３ｂに基づき作動される。具体的に説明すると、制御回路１３は、クロックカウンタが更に設けられており、ディップスイッチ１３ｃがＯＮ状態に切替えられてから起算して７２時間経過すると燃焼器１２が一切駆動されなくなるように設定されている。また、ディップスイッチ１３ｃをＯＮ状態に切替えてから起算して７２時間経過する前に、一度ＯＦＦ状態に切替た後に再びＯＮ状態に切替えた場合、ディップスイッチ１３ｃを最後に切替えた時点から起算してから７２時間経過する迄の時間について、燃焼器１２の駆動が保護される。
【００１６】
図１に示す如く、リモコン装置２０は、台所または浴室内など適宜な場所であって操作容易な位置に設置されており、電源スイッチ２２と電源表示部２３ａと警報表示部２３ｂと燃焼表示部２３ｃとエラー表示部２３ｅとボリューム抵抗２４とが操作パネル体２７の表面にレイアウトされている。また、図２には本実施の形態に係るリモコン装置の内部構造が一部拡大して示されている。図示の如く、リモコン装置２０は、基板２５と基板格納体２６と操作パネル体２７とによって構成され、基板２５は基板格納体２６に保持された状態で操作パネル体２７の内部に格納されている。また、基板２５と制御回路１３とは、２本の電信ケーブル２０ｇによって接続され、所定クロックに応じて各種信号が電信ケーブル２０ｇを介してシリアル通信される。尚、電信ケーブル２０ｇには、基準両端電圧が１２Ｖとされるパルス波状の電圧が印加されている。そして、リモコン装置２０側で受信される信号は、かかるパルス波の電位成分に基づいて抽出される。また、給湯装置１０側で受信される信号は、パルス波の時間成分に基づいて抽出される。
【００１７】
リモコン装置２０の内部に格納される基板２５の表面には、ボリューム抵抗２４とＩＣチップ２５ａと多セグメントＬＥＤ２５ｄと、図示されない電源用ＬＥＤ及び警報用ＬＥＤ及び燃焼用ＬＥＤと、この他必要な素子とが適宜実装されている。一方、基板２５の裏面にはプリント配線２５ｃが適宜なパターンにて設けられている。そして、それぞれの素子に設けられた各端子はプリント配線２５ｃ上でハンダ接合される。また、電信ケーブル２０ｇも基板２５の裏面において所定のプリント配線上にハンダ接合される。尚、基板２５上には、図示されない実装素子によって、ノイズを低減させるＲＣ回路等が適宜設けられている。
【００１８】
ボリューム抵抗２４は、スライダー２４ａとスライドレール２４ｂと抵抗板２４ｃとから構成されている。スライダー２４ａは略Ｔ字形の板体とされており、かかるスライダー２４ａにおける頭部の面には導電板が貼付されている。尚、スライダー２４ａの頭部とはＴ字の横線上面を指し、スライダー２４ａの脚部とはＴ字の縦線部を指す。スライドレール２４ｂは、絶縁材料が角筒体に成型され、かかる角筒体の内部に２本の抵抗板２４ｃが当該角筒体の長手方向に沿って配置されている。また、スライドレール２４ｂの角筒体には、操作パネル体２７に対抗する面に所定範囲の溝が成型されている。そして、スライダー２４ａは、当該スライダー２４ａの頭部が角筒体に包含される状態で摺動自在に嵌入され、操作パネル体２７の外部から手動操作によってスライド駆動される。このとき、２本の抵抗板２４ｃは、スライダー２４ａの頭部に貼付けられた導電板によって短絡さる。そして、ボリューム抵抗２４は、スライダー２４ａの位置がスライドされることにより、入力端子２４ｄ→抵抗板２４ｃ→スライダー２４ａ→抵抗板２４ｃ→出力端子２４ｅ迄の経路長を変更させるので、これにより、抵抗値が比例的に変化し設定値ＳＧｃが設定される。具体的には、Ｙ方向にスライダー２４ａを変移させると抵抗値が上昇し、その際の上限値が摂氏７０℃となる様に構成されている。また、Ｘ方向に変移させると抵抗値が低下し、その際の下限値が摂氏７℃となる様に構成されている。
【００１９】
ＩＣチップ２５ａは、ボリューム抵抗２４にて設定された設定値ＳＧｃをデジタル値に変換させ、これに基づく信号を電信ケーブル２０ｇの基準両端電圧に重畳させる。また、ＩＣチップ２５ａは、リモコン装置２０に設けられる電源スイッチ２２がＯＮ状態とされると、電源ランプ２３ａを点灯させる。更に、給湯装置１０から警報信号ＳＧｗを受信した場合、警報ランプ２３ｂの点灯を行い、ボリューム抵抗２４の異常を知らせる。加えて、給湯装置１０に内蔵される燃焼器１２が駆動されると、これに応じて、燃焼ランプ２３ｃを点灯される。また、ＩＣチップ２５ａは、給湯装置１０の不具合に応じてエラー信号ＳＧｅが入力されると、当該エラー信号ＳＧｅに対応するエラーサインを多セグメントＬＥＤ２３ｅにて適宜表示させる。
【００２０】
ここでは、設定値ＳＧｃの値とボリューム抵抗２４の故障判定とについて説明する。前述の如く、ボリューム抵抗２４で設定された設定値ＳＧｃは、ＩＣチップ２５ａによってデジタル信号に変換される。そして、かかるデジタル信号は１２Ｖを基準値とした２種類のパルス波形によって表現される。本実施例では、温度成分に係る情報が８個のパルス波から構成され、設定値ＳＧｃの値が「００００００００」〜「１１１１１１１１」迄の２進法で表現されている。また、２進法による設定値ＳＧｃの範囲を１６進法で表現させると、「００」〜「ｆｆ」迄の範囲として表現することができる。以後、１６進法で表現された設定値ＳＧｃに係る文字列をヘキサ値と呼ぶ。更に本実施例では、設定温度が摂氏５０℃に対応するヘキサ値を「６５」と規定する。また、ＩＣチップ２４ａには、設定温度が摂氏０．４℃増加する毎にヘキサ値が「１」減少するように、線形的な変数プログラムが組込まれている。従って、例えば、設定温度が摂氏７０℃のときのヘキサ値は「３３」と表現され、設定温度が摂氏７．６℃の時のヘキサ値は「ｃｆ」と表現される。上述の如く、ＩＣチップ２５ａでは電信ケーブル２０ｇの基準両端電圧に所定のパルス波を重畳させボリューム抵抗２４の温度設定に応じた設定値ＳＧｃを生成させる。その後、給湯装置１０の制御回路１３では、かかる如く重畳された設定値ＳＧｃをデジタル値として取得する。このとき、制御回路１３では以下の規則に従ってボリューム抵抗２４の故障判定を行う。即ち、制御回路１３は、ヘキサ値「３３」〜「ｃｆ」の範囲に属する設定値ＳＧｃを取得した場合には、ボリューム抵抗２４が摂氏７℃〜摂氏７０℃迄とされる適正範囲の温度設定を行っていると認識して、ボリューム抵抗２４が正常状態であると判定する。そして、かかる制御回路１３はヘキサ値の値に応じて燃焼器１２を燃焼させる。これに対し、制御回路１３がヘキサ値「００」〜「３２」迄又は「ｄ０」〜「ｆｆ」迄の範囲に属する設定値ＳＧｃを取得した場合には、エラー範囲に属する設定値ＳＧｃを取得したものと認識する。そして、制御回路１３は、ボリューム抵抗２４において何らかの故障が発生したと判定し、燃焼器１２が運転されている場合には当該運転を停止させ、貯水槽１１への熱量の供給を以後停止させる。尚、本実施例では、ＩＣチップ２４ａに組込まれる変数プログラムは、ヘキサ値が設定温度に関する一次関数として規定されているが、これに限らず、かかる変数プログラムは、設定温度、即ちスライダー２４ａの設定位置によってヘキサ値の増加率を適宜に変動させるようにしても良い。例えば、スライダー２４ａが可動領域の中心から端部にスライドされるに従いヘキサ値の増加率を低下させることが考えられる。また、本実施例では、設定値ＳＧｃは、ヘキサ値の適正範囲を除く全ての範囲がエラー範囲であると判断されるが、これに限らず、適正範囲とエラー範囲との境界に一定の許容範囲を設けて、設定値ＳＧｃが適正であると判断される領域を実質的に広げるようにしても良い。
【００２１】
図３には給湯装置とリモコン装置との間で通信される信号の状態が示されている。尚、同図に示されるグラフでは、ワンクロック中における温度成分に係るパルス波形のみが図示されており、当該ワンクロック中に含まれる他のデータ成分は便宜的に省略されている。また、グラフ内中部には、２進法で表現された設定値ＳＧｃのデジタル信号が図示されており、グラフ内上部には、かかるデジタル信号が１６進法に変換された値が示されている。図３（ａ）を参照して、スライダー２４ａと抵抗板２４ｃとが適切に接触している場合のパルス波形について説明する。先ず、電信ケーブル２０ｇには１２Ｖの両端基準電圧がそのまま基準値として印加される。その後、ＩＣチップ２４ａが設定温度に応じて駆動されると、電信ケーブル２０ｇの両端電圧は、基準両端電圧に５Ｖ又は０Ｖのパルス波形を重畳させる。このとき、給湯装置１０の制御回路１３では、かかる如く重畳された設定値ＳＧｃを受信し、５Ｖのパルス波を「０」とし、０Ｖのパルス波を「１」として認識する。従って、図３（ａ）に示される如く、ボリューム抵抗２４の設定温度が摂氏５０℃とされている場合、ＩＣチップ２４ａは、電信ケーブル２０ｇの両端電圧に所望の設定値ＳＧｃが重畳されるように、経過時間に応じて「０１１００１０１」のパルス波形に相当する動作を行う。設定値ＳＧｃは、２進法で表現されており、これを１６進法で表現させると「６５」に相当する。以後、設定値ＳＧｃは、２進法及び１６進法を問わず経過時間に応じて時間軸の右から左に向かって表現することとする。図３（ｂ）では、フラックスその他粉塵等がスライドレール２４ｂ内に侵入し、スライダー２４ａと抵抗板２４ｃとの電気的な導通が阻害された故障状態が示されている。かかる状態ではボリューム抵抗２４の内部で断線状態とされ抵抗値が無限大とされている。従って、スライダー２４ａが摂氏５０℃の設定値ＳＧｃとなるように位置調節されているにも関わらず、ＩＣチップ２４ａでは、ボリューム抵抗２４の設定値ＳＧｃが非常に高く設定されたものと誤認識し、これに応じて、設定値ＳＧｃを２進法で「００００００００」となるパルス波形を生成させてしまう。かかる設定値ＳＧｃは、１６進法で表現すると「００」に相当しエラー範囲に属する値とされるので、制御回路１３によってボリューム抵抗２４が故障状態であると判定される。従って、かかるエラー範囲に属する設定値ＳＧｃを給湯装置１０が受信すると、貯水槽１１は、燃焼器１２が非駆動状態とされるので所望の熱量を受けることができなくなる。また、図３（ｃ）では、金属または極性を帯びた粉塵がスライドレール２４ｂ内に侵入し、ボリューム抵抗２４の端子２４ｄ近傍にて２枚の抵抗板２４ｃが短絡された故障状態が示されている。かかる状態ではボリューム抵抗２４の抵抗値が略０Ωとされてしまう。従って、スライダー２４ａが摂氏５０℃の設定値ＳＧｃとなるように位置調節されているにも関わらず、制御回路１３は、設定温度が非常に低く設定されたものと誤認識する。例えば、制御回路１３が抵抗値を０Ωと認識した場合には、ＩＣチップ２５ａでは、電信ケーブル２０ｇの両端電圧に対して、２進法で「１１１１１１１１」、１６進法で「ｆｆ」に相当する��定値ＳＧｃを重畳させる。このとき、制御回路１３では、前述の如く、かかる設定値ＳＧｃがエラー範囲に属すると判断するので、燃焼器１２は非駆動状態とされる。
【００２２】
かかる機構及び回路構成を備える給湯システム１は以下の如く用いられる。先ず、リモコン装置２０のボリューム抵抗２４が故障していない場合における給湯装置１０の操作について説明する。かかる場合の給湯システム１では、リモコン装置２０の機能を有効に活用し、ユーザーによって温度設定された設定値ＳＧｃを反映させた給湯装置１０の操作が要求される。従って、かかる要求に応えるべく、ディップスイッチ１３ｃはスイッチング状態をＯＦＦ状態に設定させておく。但し、かかる状態は、給湯装置１０を操作する際の通常モードとされるため、ディップスイッチ１３ｃをＯＦＦ状態とさせておくことは給湯システム１におけるデフォルト設定に他ならない。リモコン装置２０の電源スイッチ２２がユーザーによってＯＮ状態にされると、リモコン装置２０は、直ちに電源表示部２３ａを点灯させると供に、ボリューム抵抗２４で規定された設定値ＳＧｃを給湯装置１０が受信できる状態にさせる。このとき、制御回路１３の主制御部１３ａでは、電信ケーブル２０ｇを介して設定値ＳＧｃを受信し、かかる設定値ＳＧｃのヘキサ値が適正範囲及びエラー範囲の何れに属するかを判別する。ボリューム抵抗２４が図３（ｂ）又は図３（ｃ）に示す故障を起こさない限り、設定値ＳＧｃのヘキサ値は適正範囲に属すると判別される。このとき、主制御部１３ａでは、リモコン装置２０側の情報である設定値ＳＧｃと貯水槽１１側の情報である検出値ＳＧｔとに基づき減算処理を行う。その後、制御回路１３では、主制御部１３ａの演算結果に基づき燃焼器１２の駆動制御を行う。
【００２３】
次に、ボリューム抵抗２４が故障した場合の給湯装置１０の操作について説明する。かかるボリューム抵抗２４の故障が図３（ｂ）又は図３（ｃ）に示される故障状態である場合、主制御部１３ａは設定値ＳＧｃのヘキサ値がエラー範囲に属すると判断する。このとき、主制御部１３ａは、電信ケーブル２０ｇの両端電圧に警報信号ＳＧｗを重畳させ、リモコン装置２０に警報表示部２３ｂを点灯させる。これにより、リモコン装置２０の警報表示部２３ｂは、ユーザー又はサービスマンに対してリモコン装置２０のボリューム抵抗２４が故障していることを知らせる。また、主制御部１３ａは、ヘキサ値がエラー範囲に属すると判断している間、設定値ＳＧｃと検出値ＳＧｔとの減算処理を停止させ、これにより、異常信号に基づく燃焼器１２の誤作動を回避させる。即ち、設定値ＳＧｃのヘキサ値がエラー範囲に属する間は、給湯装置１０は、燃焼器１２の駆動が停止され、貯水槽１１における熱交換が行われなくなる。しかし、かかる故障状態にあっても、給湯装置１０はライフラインに設けられる装置である性質上、ボリューム抵抗２４が修繕される迄の間、応急的かつ限定的な機能による給湯装置１０の必要最小限の操作が要求される。そこで、かかる要求に応えるべく、本実施の形態における給湯装置１０は以下の如く操作される。即ち、ボリューム抵抗２４に故障が発生し給湯装置１０が駆動されなくなると、当該給湯装置１０の故障状態を調査しに来たサービスマンは、警報表示部２３ｂの点灯を確認し、給湯システム１の故障原因がボリューム抵抗２４の導通不良であると認知する。そして、サービスマンは、制御回路１３のディップスイッチ１３ｃをＯＦＦ状態からＯＮ状態に切り換える。このとき、制御回路１３に設けられたクロックカウンタではタイムカウントが開始される。そして、副制御回路１３ｂでは、メモリから規定値ＳＧｒを読み出し、かかる規定値ＳＧｒと検出値ＳＧｔとを減算処理させ、制御回路１３では、かかる処理結果に基づいて燃焼器１２を駆動させる。かかる状態において、クロックカウンタのカウント動作が維持され、これによるカウント値が７２時間を経過していない場合には、制御回路１３は、副制御部１３ｂの処理結果に基づき燃焼器１２の駆動制御を実行させる。また、制御回路１３は、クロックカウンタのカウント値が７２時間を経過してしまった場合には、主制御部１３ａ及び副制御部１３ｂの何れの指令にも従うことなく、燃焼器１２の駆動を一切停止させ、調整抵抗２４の設定値ＳＧｃが適正値に復帰するのを待つ。かかる後、サービスマンは、リモコン装置２０の修理を完了させ、ディップスイッチ１３ｃのスイッチング状態をＯＦＦ状態に復帰させる。これにより、給湯システム１は、デフォルト設定に復帰され、ボリューム抵抗２４の設定値ＳＧｃに追従した正常時の制御状態に回復される。
【００２４】
本実施の形態によれば、操作パネル体２７に侵入した粉塵等またはプリント基板２５に塗布されるフラックスがボリューム抵抗２４のスライドレール２４ｂ内に偶発的に侵入し、これにより、抵抗板２４ｃとスライダーの導電板との間の導通不良が発生し、給湯装置１０における燃焼器１２が駆動されなくなる事態に陥っても、制御回路１３はディップスイッチ１３ｃの切替操作により副制御部１３ｂの指令に応答した燃焼器１２の制御を実行させるので、ボリューム抵抗２４の故障状態に関係なく、給湯システム１は副制御部１３ｂで規定される所定条件に基づいた給湯装置１０の応急運転を実現させることが可能となる。
【００２５】
また、抵抗板２４ｃとスライダーの導電板との摩擦によって生じた金属粉、又は、スライドレール２４ｂ内に侵入した極性を帯びた粉塵によって、互いの抵抗板２４ｃが短絡され、給湯装置１０における燃焼器１２が駆動されなくなる事態に陥っても、上述同様、サービスマン等がディップスイッチ１３ｃを切替て、制御回路１３が副制御部１３ｂに応答した燃焼器１２の制御を実施することにより、給湯システム１は所定条件に基づいた給湯装置１０の応急運転を実現させることが可能となる。
【００２６】
更に、リモコン装置２０の基板２５に実装される他の素子の故障によって、給湯装置１０における燃焼器１２が駆動されなくなる事態に陥っても、上述同様、サービスマン等がディップスイッチ１３ｃを切替て、制御回路１３が副制御部１３ｂに応答した燃焼器１２の制御を実施することにより、給湯システム１は所定条件に基づいた給湯装置１０の応急運転を実現させることが可能となる。
【００２７】
以上の如く記された実施の形態はあくまでも本発明の一つの実施形態であって、本発明はこれに限らず他の実施の形態を適用させることが可能である。例えば、本実施の形態の給湯装置１０では貯湯式の熱交換方式が採用されているが、これに限らず、給水管に熱交換フィンを備えた直圧式、その他種々の熱交換方式を適用させた給湯装置１０に置き換えることが可能である。また、給湯装置１０とリモコン装置２０との通信方式についても、シリアル通信方式に限ることなく、他の通信方式が適宜用いられる。
【００２８】
尚、本発明ないし各構成要件の用語の意義は、上述した実施の形態に記載されたものに限られるものではない。例えば、制御回路１３の用語は、空炊防止等の機能が追加された他の回路構成を含む概念である。また、調節部２４の用語は、ボリューム抵抗に限らず、設定値ＳＧｃを付与する他の調節機構を当然に含む概念である。
【図面の簡単な説明】
【００２９】
【図１】実施の形態に係る給湯装置の構成を示す図
【図２】実施の形態に係るリモコン装置の一部拡大図
【図３】実施の形態に係る電信ケーブルに重畳される信号波形を示す図
【符号の説明】
【００３０】
１    給湯システム
１０    給湯装置
１１ｄ  検出器
１２    燃焼器
１３    制御回路
１３ａ  主制御部
１３ｂ  副制御部
１３ｃ  選択部
２０    リモコン装置
２４    ボリューム抵抗
ＳＧｃ  設定値
ＳＧｔ  検出値
ＳＧｒ  規定値
【図１】
2008138980.tif 000003
【図２】
2008138980.tif 000004
【図３】
2008138980.tif 000005